【事件の表示】
　特許第２９０６１９８号「皮膚外用剤」の特許に対する特許異議の申立てについて、次のとおり決定する。
【結　論】
　訂正を認める。
　特許第２９０６１９８号の請求項１に係る特許を維持する。
【理　由】
(1)手続の経緯
　
　特許第2906198号の請求項１に係る発明は、平成4年7月13日に特許出願され、平成11年4月2日にその特許権の設定登録がなされ、その後、市橋俊一郎及び岡本員明より特許異議の申立てがなされ、平成12年3月8日付けで第1回目の取消理由通知がなされ、平成12年7月11日付けで第2回目の取消理由通知がなされ、その指定期間内である平成12年9月25日に訂正請求がなされたものである(平成12年6月22日付けの訂正請求書は平成12年9月25日に取り下げられた。)。
　
(2)訂正の適否についての判断
　
(2-1)訂正の内容
　
　特許権者の求める訂正は、特許第2906198号の明細書中、
　
1.特許請求の範囲の
「【請求項1】ビタミンAと、単糖、オリゴ糖及び糖アルコールから選択されたいずれか一種又は二種以上の糖類とを含有することを特徴とする皮膚外用剤。」
　
を、
　
「【請求項1】ビタミンAと、単糖、オリゴ糖及び糖アルコールから選択されたいずれか一種又は二種以上の糖類(グルコース、ソルビトールを除く)とを含有することを特徴とする乾癬または肌荒れ改善皮膚外用剤。」
　
と訂正し、
2.特許第2906198号公報第1頁第1欄【0001】【産業上の利用分野】中、2箇所の「皮膚外用剤」をいずれも「乾癬または肌荒れ改善皮膚外用剤」と訂正し、
3.同第2頁第3欄【0006】発明の目的中、「皮膚外用剤」を「肌荒れ改善皮膚外用剤または乾癬改善皮膚外用剤」と訂正し、
4.同第2頁第3欄【0009】【課題を解決するための手段】中、「糖類」を「糖類(グルコース、ソルビトールを除く)」と、「皮膚外用剤」を「乾癬または肌荒れ改善皮膚外用剤」と訂正し、
5.同第2頁第3欄【0011】中、「皮膚外用剤」を「乾癬または肌荒れ改善皮膚外用剤」と訂正し、
6.同第2頁第3欄【0012】中、「糖類」を「糖類(グルコース、ソルビトールを除く)」と訂正し、
7.同第2頁第3〜4欄【0013】中、「D-グルコース」を削除し、
8.同第2頁第4欄【0015】中、「ソルビトール」を削除し、
9.同第2頁第4欄【0017】中、「皮膚外用剤」を「肌荒れ改善皮膚外用剤または乾癬改善皮膚外用剤」と訂正し、
10.同第2頁第4欄【0018】中、「皮膚外用剤」を「肌荒れ改善皮膚外用剤または乾癬改善皮膚外用剤」と訂正し、
11.同第2〜3頁第4〜6欄【0020】中、「クリーム」を「乾癬または肌荒れ改善クリーム」と、「肌荒れ改善効果」を「乾癬または肌荒れ改善効果」と、「実施例1〜5」を「実施例1〜4」と訂正し、
12.同第3頁第5〜6欄【0023】【表1】中、実施例5に関する記載を削除し、
13.同第3頁第5〜6欄【0024】中、2箇所の「実施例1〜5」をそれぞれ「実施例1〜4」と訂正し、
14.同第4頁第7〜8欄【0025】【表2】中、実施例5に関する記載を削除し、
15.同第4頁第7〜8欄【0026】中、「実施例1〜5」を「実施例1〜4」と、「肌荒れ改善効果」を「乾癬または肌荒れ改善効果」と訂正し、
16.同第4〜5頁第7〜10欄【0027】中、「実施例6」を「実施例5」と、2箇所の「化粧水」をそれぞれ「肌荒れ改善化粧水」と訂正し、
17.同第5頁第9〜10欄【0028】中、「実施例7」を「実施例6」と、2箇所の「パック」をそれぞれ「肌荒れ改善パック」と訂正し、
18.同第5〜6頁第9〜11欄【0029】中、「実施例8」を「実施例7」と、2箇所の「固型白粉」をそれぞれ「肌荒れ改善固型白粉」と訂正し、
19.同第6頁第11〜12欄【0030】中、「実施例9」を「実施例8」と、3箇所の「口紅」をそれぞれ「肌荒れ改善口紅」と訂正し、
20.同第6頁第11〜12欄【0031】中、「実施例10」を「実施例9」と、3箇所の「美容パウダー」をそれぞれ「肌荒れ改善美容パウダー」と訂正し、
21.同第6〜7頁第11〜14欄【0032】中、「実施例11」を「実施例10」と、2箇所の「乳液」をそれぞれ「肌荒れ改善美容乳液」と訂正し、
22.同第7〜8頁第13〜16欄【0033】中、「実施例12」を「実施例11」と、2箇所の「乳液」をそれぞれ「肌荒れ改善美容乳液」と訂正し、
23.同第8頁第15〜16欄【0034】中、「実施例13」を「実施例12」と、2箇所の「ナイトクリーム」をそれぞれ「肌荒れ改善ナイトクリーム」と訂正し、
24.同第8頁第16欄【0035】【発明の効果】中、「皮膚外用剤」を「乾癬または肌荒れ改善皮膚外用剤」と訂正するものである。
　
(2-2)訂正の目的の適否、新規事項の有無及び拡張・変更の存否
　
　訂正1は、「糖類」からそこに含まれていたグルコースとソルビトールを除くものであり、「皮膚外用剤」をその特定の用途である「乾癬または肌荒れ改善皮膚外用剤」に限定するものであるから、特許請求の範囲の減縮に該当し、「乾癬または肌荒れ改善皮膚外用剤」という限定は、出願当初の明細書【0024】【0025】に乾癬様、肌荒れ様の皮膚疾患に対する皮膚外用剤の試験を行った結果が記載されていること等に基づくものであり、いずれも当初明細書に記載した事項の範囲内のものである。
　訂正2〜24は、訂正1に伴って、対応する発明の詳細な説明の記載を訂正するものであり、いずれも明りようでない記載の釈明に該当する。そして、当初明細書に記載した事項の範囲内のものである。
　そして、いずれの訂正も実質上特許請求の範囲を拡張し、又は変更するものでもない。
　
(2-3)独立特許要件の判断
　
(2-3-1)訂正明細書の請求項1に係る発明
　
　訂正明細書の請求項1に係る発明は、その特許請求の範囲の請求項1に記載されたとおりの以下のものである。 
　
「【請求項1】ビタミンAと、単糖、オリゴ糖及び糖アルコールから選択されたいずれか一種又は二種以上の糖類(グルコース、ソルビトールを除く)とを含有することを特徴とする乾癬または肌荒れ改善皮膚外用剤。」　(以下、訂正明細書の本件請求項1に係る発明を「本件発明」という。)
　
(2-3-2)本件発明は、後記(3)で述べるように特許異議申立人の提出した証拠方法及びその主張する理由によって特許を受けることができないものであるとすることはできない。
　そして、他に特許出願の際独立して特許を受けることができない理由を発見しないので、本件発明は、特許出願の際独立して特許を受けることができるものである。
　
(2-4)むすび
　
　以上のとおりであるから、上記訂正は、特許法第120条の4第2項及び同条第3項で準用する同法第126条第2項から第4項の規定に適合するので、当該訂正を認める。
　
(3)特許異議の申立てについての判断
　
(3-1)本件特許の請求項1に係る発明は、前記(2-3-1)で記載したとおりである。
　
(3-2)特許異議申立ての理由の概要
　
　特許異議申立人市橋俊一郎は、本件発明は、甲第1号証〜甲第8号証に記載された発明であるから特許法第29条第1項第3号に該当し、また、甲第1号証〜甲第8号証に記載された発明に基づいて当業者が容易に発明をすることができたものであるから、特許法第29条第2項の規定により特許を受けることができないものであり、また、特許異議申立人岡本員明は、本件発明は、甲第1号証〜甲第4号証に記載された発明であるから特許法第29条第1項第3号に該当し、また、甲第5号証〜甲第7号証に記載された発明に基づいて当業者が容易に発明をすることができたものであるから、特許法第29条第2項の規定により特許を受けることができないものであり、甲第8号証に係る発明と同一であるから、特許法第29条の2の規定により特許を受けることができないものであると主張している。
　
(3-3)当審の判断
　
(3-3-1)市橋俊一郎の異議申立について
　
(a)甲号各証に記載された発明
　
(a-1)甲第1号証(特開昭62-106837号公報)には、「親油性物質を、ポリグリセリンの脂肪酸エステル、水溶性糖類および炭素数3以下のアルコール類の共存下で乳化してなる乳化組成物」(特許請求の範囲)の発明が記載されており、「親油性物質とは、油脂類および油脂類に可溶な物質をいい、たとえば食品；化粧品等の製造に際し、栄養強化剤、着色料、酸化防止剤、品質改良剤などとして加えられるものが例示される。」(公報2頁左上欄15〜19行)、「油脂類に可溶な可食性物質としては、・・・ビタミンA油」(公報2頁右上欄8〜11行)、「水溶性糖類としては、キシロース、アラビノース、グルコース、フラクトースなどの単糖類、シュクロース、マルトースなどの少糖類、・・・ソルビット、マルチトール、・・・などの糖アルコールなどの糖類があげられる。」(公報2頁左下欄15〜右上欄1行)という記載もあり、実施例8としてビタミンA、ポリグリセリンの脂肪酸エステル、ソルビット液等を配合した化粧水が示されている。
(a-2)甲第2号証(特表昭62-500721号公報)には、「通常の香粧品ビヒクルおよび／または稀釈剤と共に活性成分としてグリーンピースのさやおよび／または粒子の抽出物を含有する皮ふ再生香粧品組成物」(特許請求の範囲)の発明が記載されており、実施例13に手処理用皮ふ再生用組成物として、グリーンピースのさやの抽出物の他にソルビトール、ビタミンA等を含むものが示されている。
(a-3)甲第3号証(特表昭62-501000号公報)には、「通常の香粧用ビヒクルおよび／または稀釈剤と共に活性成分として節のあるとうもろこしの茎および／または包葉および／またはとうもろこしの穂軸および／またはとうもろこしの毛の抽出物を含有する皮ふ再生および水和香粧品組成物」(特許請求の範囲)の発明が記載されており、実施例10に手処置用皮ふ再生用組成物として、とうもろこしの包葉等の抽出物の他にソルビトール、ビタミンA等を含むものが示されている。
(a-4)甲第4号証(特開昭60-69012号公報)には、「相当する陽イオンに関して、全組成物で計算して、下記
ナトリウム：0.01重量%ないし5.0重量%、
カリウム：0.01重量%ないし3.0重量%、
マグネシウム：0.01重量%ないし2.0重量%、
カルシウム：0.01重量%ないし2.0重量%、
亜鉛：0.01重量%ないし1.0重量%、
の濃度で陽イオンを放出する化合物の混合物を含有するスキンケアー組成物」(特許請求の範囲第1項)、「ビタミンA、・・・を含有する、特許請求の範囲第18項に従うスキンケアー組成物」(特許請求の範囲第19項)の発明が記載されており、例8として、塩化ナトリウム、塩化カリウム、塩化カルシウム、硫酸亜鉛、硫酸マグネシウムの他にビタミンA、グルコース等を含むものが示されている。
(a-5)甲第5号証(特開昭57-131716号公報)には、「シトステロール、シトステロールを含有する植物油、またはそれとラノリン、ゼラチン、糖およびビタミンとの混合物を主成分とすることを特徴とする足底部皮膚専用化粧料」(特許請求の範囲)の発明が記載されており、実施例1として、シトステロール、ラノリン、ゼラチンの他にビタミンA、グルコース等を含むものが示されている。
(a-6)甲第6号証(特開昭58-140008号公報)には、「シトステロール、シトステロールを含有する植物油、またはそれとラノリン、ゼラチン、糖およびビタミンとの混合物を主成分とすることを特徴とする皮膚硬化防止化粧料」(特許請求の範囲)の発明が記載されており、実施例1として、シトステロール、ラノリン、ゼラチンの他にビタミンA、グルコース等を含むものが示されている。
(a-7)甲第7号証(特開昭59-95210号公報)には、「軟体動物門または節足動物門に属する水産動物の抽出生体成分、またはその抽出生体成分を発酵させた酵母代謝産物を配合することを特徴とする化粧料」(特許請求の範囲)の発明が記載されており、実施例1に、シジミ抽出液の他にビタミンA油、グルコサミン、ブドウ糖等を配合したクリームが示されている。
(a-8)甲第8号証(特開昭63-36826号公報)には、「非イオン性界面活性剤と、塩基性アミノ酸0.3〜5重量%とを配合することを特徴とする可溶化組成物」(特許請求の範囲)の発明が記載されており、「可溶化組成物は、透明で見た目に美しく、純粋に見える為、化粧品、・・・として用いられる。」(公報1頁右下欄2〜4行)、実施例4として、非イオン性界面活性剤、L-アルギニンの他にビタミンA、マルチトール等を含む可溶化組成物が示されている。
　
(b)本件発明と甲号各証記載の発明との対比・判断
　
　本件発明と甲第1号証〜甲第8号証刊行物に記載された発明を比較すると、いずれもビタミンAと糖類を含有する皮膚に適用する組成物に係るものであるが、本件発明が糖類として選択されるものが、単糖、オリゴ糖及び糖アルコールから選択されたいずれか一種又は二種以上の糖類(グルコース、ソルビトールを除く)であるのに対し、甲第2号証〜甲第6号証、甲第8号証には糖類としてソルビトールまたはグルコースのみが示され、他の糖類について記載はなく、それらがソルビトールまたはグルコースと同等の効果を奏するということについて記載されておらず、示唆もされていない。
　甲第1号証には他の糖類も例示されているが、甲第1号証記載の発明は乳化組成物の乳化力増強、安定性を目的とするものであり、糖類が乾癬または肌荒れ改善という効果に対してビタミンAの作用を増強させるということについて示唆するような記載はされていない。
　甲第7号証は水産動物の抽出物に糖類等を加えて酵母による発酵を行なったものを化粧料に使用するもので、糖類自体が化粧料に含まれているものとは考えられず、また、その効果について示唆がされているものでもない。
　よって、本件発明が甲第1号証〜甲第8号証に記載された発明であるとすることはできず、それらに記載された発明に基づいて当業者が容易に発明をすることができたものとすることもできない。
　
(3-3-2)岡本員明の異議申立について
　
(a)甲号各証に記載された発明
　
(a-1)甲第1号証(特開昭58-140008号公報)は、前記特許異議申立人市橋俊一郎の提出した甲第6号証と同一で、前記(3-3-1)(a-6)記載のとおりである。
(a-2)甲第2号証(ソビエト連邦特許第240939号明細書)には、ビタミンA濃縮物とグルコースを含有する瞼の皮膚の栄養クリームが記載されている。
(a-3)甲第3号証(特開昭58-41813号公報)には、「ビタミンA配合乳化系皮膚外用剤組成物において、ジ-t-ブチルヒドロキシトルエン、ブチルヒドロキシアニソールおよびトコフェロールからなる群から選ばれる抗酸化剤およびエチレンジアミン四酢酸塩を配合したことを特徴とするビタミンAを安定に配合した乳化系皮膚外用剤組成物」(特許請求の範囲)の発明が記載されており、「ビタミンAも皮膚角化症等の予防、治療に有効な成分であることが知られている。」(公報1頁左下欄20行〜右下欄2行)という記載があり、ビタミンAパルミテート、抗酸化剤およびそのシネルギストとしてのソルビットを含む乳液の処方が示されている。
(a-4)甲第4号証(特開昭62-419号公報)には、「1種または2種以上の脂溶性ビタミンと、分子内に2個以上の水酸基を有する水溶性多価アルコールの1種または2種以上と、ポリグリセリン脂肪酸エステル、エタノールおよび水を配合してなる脂溶性ビタミン含有水溶性剤」(特許請求の範囲)の発明が記載されており、脂溶性ビタミンとしてビタミンAが例示され、分子内に2個以上の水酸基を有する水溶性多価アルコールとしてグルコース、マルトース、マルチトール、蔗糖等が例示され、「本発明は、広く、医薬、化粧品、食品に応用することができる。例えば、・・・スキンローション、収れん化粧水、柔軟化粧水、ヘアトニック、乳液、クリーム、ファウンデーションなどの化粧品、・・・に配合することができる。」(公報3頁左上欄10〜17行)という記載もある。
(a-5)甲第5号証(欧州特許公開第434628号明細書)には、ビタミンAエステル、グルコース、過酸化水素を含有する化粧品用又は薬用組成物の発明が記載されており、過酸化水素からの適量の酸素供給によってグルコースの酸化分解が生じてエネルギーが産生され、その結果、皮膚の弾力性を保つために重要な因子であるコラーゲン生成といった細胞の代謝が活性化される結果、ビタミンAとの相乗作用が期待されることも記載されている。
(a-6)甲第6号証(日本香粧品科学会誌,第2巻(第1号),6-12頁(1978))には、不飽和脂肪酸の酸化によってヒドロペルオキシドが生じること、この生成は紫外線や宇宙線等により促進されること、及び皮膚においては、皮脂膜中においてこのような過酸化脂質の生成が起り得ることが記載されている。
(a-7)甲第7号証(化学大辞典２(共立出版株式会社、昭和53年9月10日発行))364〜365頁)には、水の介在する無機物及び有機物の自動酸化や生体内酸素呼吸等により、過酸化水素が生成することが記載されている。
(a-8)甲第8号証(特願平3-22677号(特開平4-210902号公報))には、「a)酸化防止系、b)キレート化剤、およびc)少なくとも1種のレチノイドを含んでいる水の油中乳化液からなる、スキンケア組成物」の発明が記載されており、「本発明の他の目的は、日光で損傷を受けた皮膚の治療用の改良されたスキンケア組成物を提供することである。」(公報2頁2欄15〜17行)、「本発明の組成物中で使用されるレチノイド化合物は、ビタミンAアルコール(レチノール)並びにそれの誘導体類、・・・が包含される。」(公報3頁4欄17〜24行)という記載もあり、実施例1、3等にビタミンAアルコール、ソルビトール溶液を含む油中水クリーム組成物が示されている(甲第8号証に係る発明を以下「先願発明」という。)。
　
(b)本件発明と甲号各証記載の発明との対比・判断
　
　本件発明と甲第1号証〜甲第5号証刊行物に記載された発明を比較すると、いずれもビタミンAと糖類を含有する皮膚に適用する組成物に係るものであるが、本件発明が糖類として選択されるものが、単糖、オリゴ糖及び糖アルコールから選択されたいずれか一種又は二種以上の糖類(グルコース、ソルビトールを除く)であるのに対し、甲第1号証〜甲第3号証、甲第5号証には糖類としてソルビトールまたはグルコースのみが示され、他の糖類について記載はなく、それらがソルビトールまたはグルコースと同等の効果を奏するということについても記載されておらず、示唆もされていない。
　甲第4号証には水溶性多価アルコールとして他の糖類も例示されているが、甲第4号証記載の発明は水溶性多価アルコール等を配合して脂溶性ビタミンの安定なエマルジョンを得ることを目的とするものであり、糖類が乾癬または肌荒れ改善という効果に対してビタミンAの作用を増強させるということについて示唆するような記載はされていない。
　甲第6号証は皮脂膜中の過酸化脂質に関する報文であり、過酸化脂質により皮膚障害がおきることが示されているが、乾癬または肌荒れ改善とビタミンA、糖類との関係について記載、示唆はない。
　甲第7号証には、過酸化水素の生成について記載はあるが、それと皮膚の乾癬または肌荒れとの関係、その防止、治療に関する記載、示唆はなく、乾癬または肌荒れ改善とビタミンA、糖類との関係について記載、示唆はない。
　よって、本件発明が甲第1号証〜甲第7号証に記載された発明であるとすることはできず、それらに記載された発明に基づいて当業者が容易に発明をすることができたものとすることもできない。
　本件発明と先願発明を比較すると、いずれもビタミンAと糖類を含有する皮膚に適用する組成物に係るものであるが、本件発明が糖類として選択されるものが、単糖、オリゴ糖及び糖アルコールから選択されたいずれか一種又は二種以上の糖類(グルコース、ソルビトールを除く)であるのに対し、先願発明では糖類としてソルビトールのみが挙げられており、他の糖類について記載はない。よって、本件発明は先願発明と同一であるとすることはできない。
　
(3-4)むすび
　
　以上のとおりであるから、特許異議申立の理由および証拠方法によっては、本件請求項1に係る発明の特許を取り消すことはできない。
　また、他に本件請求項1に係る発明の特許を取り消すべき理由を発見しない。
　よって、結論のとおり決定する。
【異議決定日】
平成１２年１０月１９日（２０００．１０．１９）
【訂正の要旨】
訂正の要旨
　特許第２９０６１９８号の明細書中、
１．特許請求の範囲の
「【請求項１】ビタミンＡと、単糖、オリゴ糖及び糖アルコールから選択されたいずれか一種又は二種以上の糖類とを含有することを特徴とする皮膚外用剤。」
を、特許請求の範囲の減縮を目的として
「【請求項１】ビタミンＡと、単糖、オリゴ糖及び糖アルコールから選択されたいずれか一種又は二種以上の糖類（グルコース、ソルビトールを除く）とを含有することを特徴とする乾癬または肌荒れ改善皮膚外用剤。」
と訂正し、その訂正に伴い、発明の詳細な説明の記載を特許請求の範囲の記載に整合させるため、明りょうでない記載の釈明を目的として、
２．特許第２９０６１９８号公報第１頁第１欄【０００１】【産業上の利用分野】中、２箇所の「皮膚外用剤」をいずれも「乾癬または肌荒れ改善皮膚外用剤」と訂正し、
３．同第２頁第３欄【０００６】発明の目的中、「皮膚外用剤」を「肌荒れ改善皮膚外用剤または乾癬改善皮膚外用剤」と訂正し、
４．同第２頁第３欄【０００９】【課題を解決するための手段】中、「糖類」を「糖類（グルコース、ソルビトールを除く）」と、「皮膚外用剤」を「乾癬または肌荒れ改善皮膚外用剤」と訂正し、
５．同第２頁第３欄【００１１】中、「皮膚外用剤」を「乾癬または肌荒れ改善皮膚外用剤」と訂正し、
６．同第２頁第３欄【００１２】中、「糖類」を「糖類（グルコース、ソルビトールを除く）」と訂正し、
７．同第２頁第３〜４欄【００１３】中、「Ｄ‐グルコース」を削除し、
８．同第２頁第４欄【００１５】中、「ソルビトール」を削除し、
９．同第２頁第４欄【００１７】中、「皮膚外用剤」を「肌荒れ改善皮膚外用剤または乾癬改善皮膚外用剤」と訂正し、
１０．同第２頁第４欄【００１８】中、「皮膚外用剤」を「肌荒れ改善皮膚外用剤または乾癬改善皮膚外用剤」と訂正し、
１１．同第２〜３頁第４〜６欄【００２０】中、「クリーム」を「乾癬または肌荒れ改善クリーム」と、「肌荒れ改善効果」を「乾癬または肌荒れ改善効果」と、「実施例１〜５」を「実施例１〜４」と訂正し、
１２．同第３頁第５〜６欄【００２３】を
「【表１】
」と訂正し、
１３．同第３頁第５〜６欄【００２４】中、２箇所の「実施例１〜５」をそれぞれ「実施例１〜４」と訂正し、
１４．同第４頁第７〜８欄【００２５】を
　【表２】
と訂正し、
１５．同第４頁第７〜８欄【００２６】中、「実施例１〜５」を「実施例１〜４」と、「肌荒れ改善効果」を「乾癬または肌荒れ改善効果」と訂正し、
１６．同第４〜５頁第７〜１０欄【００２７】中、「実施例６」を「実施例５」と、２箇所の「化粧水」をそれぞれ「肌荒れ改善化粧水」と訂正し、
１７．同第５頁第９〜１０欄【００２８】中、「実施例７」を「実施例６」と、２箇所の「パック」をそれぞれ「肌荒れ改善パック」と訂正し、
１８．同第５〜６頁第９〜１１欄【００２９】中、「実施例８」を「実施例７」と、２箇所の「固型白粉」をそれぞれ「肌荒れ改善固型白粉」と訂正し、
１９．同第６頁第１１〜１２欄【００３０】中、「実施例９」を「実施例８」と、３箇所の「口紅」をそれぞれ「肌荒れ改善口紅」と訂正し、
２０．同第６頁第１１〜１２欄【００３１】中、「実施例１０」を「実施例９」と、３箇所の「美容パウダー」をそれぞれ「肌荒れ改善美容パウダー」と訂正し、
２１．同第６〜７頁第１１〜１４欄【００３２】中、「実施例１１」を「実施例１０」と、２箇所の「乳液」をそれぞれ「肌荒れ改善美容乳液」と訂正し、
２２．同第７〜８頁第１３〜１６欄【００３３】中、「実施例１２」を「実施例１１」と、２箇所の「乳液」をそれぞれ「肌荒れ改善美容乳液」と訂正し、
２３．同第８頁第１５〜１６欄【００３４】中、「実施例１３」を「実施例１２」と、２箇所の「ナイトクリーム」をそれぞれ「肌荒れ改善ナイトクリーム」と訂正し、
２４．同第８頁第１６欄【００３５】【発明の効果】中、「皮膚外用剤」を「乾癬または肌荒れ改善皮膚外用剤」と訂正する。
（５４）【発明の名称】
乾癬または肌荒れ改善皮膚外用剤
（５７）【特許請求の範囲】
　【請求項１】　ビタミンＡと、単糖，オリゴ糖及び糖アルコールから選択されたいずれか一種又は二種以上の糖類（グルコース、ソルビトールを除く）とを含有することを特徴とする乾癬または肌荒れ改善皮膚外用剤。
【発明の詳細な説明】
　【０００１】
　【産業上の利用分野】本発明は乾癬または肌荒れ改善皮膚外用剤に関し、さらに詳しくはビタミンＡと糖類を含有することによりビタミンＡのもつ肌荒れ改善効果を相乗的に向上させるとともに安全性に配慮した乾癬または肌荒れ改善皮膚外用剤に関する。
　【０００２】
　【従来の技術】皮膚外用剤には種々の薬効成分が配合されている。その中で皮膚の加齢、あるいは日光暴露等による変化を予防、改善する効果も薬効の一つであり、これらを目的とする化粧料等の皮膚外用剤が求められてきた。
　【０００３】こうした中で従来は、天然物から抽出した各種原料、例えばタンパク質、多糖、抽出エキス、天然高分子等がその使用効果が特徴的であるため皮膚外用剤に配合されてきた。
　【０００４】また、近年、ビタミンＡおよびその誘導体の中から選ばれる一種または二種以上を配合し、皮膚の加齢あるいは日光暴露による変化、あるいは障害を防止、改善する方法が開陳されている。（特表昭６４−５００３５５）
　【０００５】
　【発明が解決しようとする課題】
従来技術の問題点
しかしながら、その効果はいまだなお不十分であり、より優れた効果のある薬効剤の開発が待望されていた。
　【０００６】発明の目的
本発明は前記従来技術の問題点に鑑みなされたものであり、その目的は、皮膚の加齢あるいは日光暴露による変化、あるいは障害に対する防止効果、改善効果等の肌荒れ改善効果を十分発揮させる肌荒れ改善皮膚外用剤または乾癬改善皮膚外用剤を提供することにある。
　【０００７】前記目的を達成するために、本発明者らは安全性に優れた物質の中から、特に十分な肌荒れ改善効果を発現させる物質を得るべく鋭意研究を重ねた結果、ビタミンＡと共に糖類を配合することによって、これら問題点を解決することを見出した。
　【０００８】本発明者らは上記知見に基いて本発明を完成するに至った。
　【０００９】
　【課題を解決するための手段】すなわち、本発明はビタミンＡと、単糖，オリゴ糖及び糖アルコールから選択されたいずれか一種又は二種以上の糖類（グルコース、ソルビトールを除く）とを含有することを特徴とする乾癬または肌荒れ改善皮膚外用剤を提供するものである。以下、本発明の構成について詳述する。
　【００１０】本発明に用いられるビタミンＡは別名をレチノールとも言い、通常、医療分野等で小児病、夜盲症の治療や妊娠後の回復剤として利用されている。これらの中でａｌｌ−ｔｒａｎｓ体もしくは１３−ｃｉｓ体を使用することが好ましく、それらの混合物を使用してもかまわない。
　【００１１】本発明の乾癬または肌荒れ改善皮膚外用剤へのビタミンＡの配合量については限定はしないが、ビタミンＡの肌への効果を考えると０．００００１重量％〜５．０重量％が好ましく、０．０００１重量％〜０．５重量％がより好ましい。
　【００１２】本発明に用いられる糖類は、単糖、オリゴ糖及び糖アルコールから選択されたいずれか一種又は二種以上の糖類（グルコース、ソルビトールを除く）である。
　【００１３】単糖としては、Ｄ−グリセリルアルデヒド、ジヒドロキシアセトン等の三炭糖、Ｄ−エリトロース、Ｄ−エリトルロース、Ｄ−トレオース等の四炭糖、Ｌ−アラビノース、Ｄ−キシロース、Ｌ−リキソース、Ｄ−アラビノース、Ｄ−リボース、Ｄ−リブロース、Ｄ−キシルロース、Ｌ−キシルロース等の五炭糖、Ｄ−タロース、Ｄ−プシコース、Ｄ−ガラクトース、Ｄ−フルクトース、Ｌ−ガラクトース、Ｌ−ソルボース、Ｄ−マンノース、Ｄ−タガロース、等の六炭糖、アルドヘプトース、ヘプツロース等の七炭糖、オクツロース等の八炭糖、２−デオキシ−Ｄ−リボース、６−デオキシ−Ｌ−ガラクトース、６−デオキシ−Ｌ−マンノース等のデオキシ糖、Ｄ−グルコサミン、Ｄ−ガラクトサミン、シアル酸、アミノウロン酸、ムラミン酸等のアミノ糖、Ｄ−グルクロン酸、Ｄ−マンヌロン酸、Ｌ−グルロン酸、Ｄ−ガラクツロン酸、Ｌ−イズロン酸等のウロン酸等が挙げられる。
　【００１４】またオリゴ糖としてショ糖、ゲンチアノース、ウンベリフェロース、ラクトース、プランテオース、イソリクノース類、α、α−トレハロース、ラフィノースネリクノース類、ウンビリシン、スタキオースベルバスコース類等が挙げられる。
　【００１５】また糖アルコールとしてはマルチトール、マルトリオース、マンニトール、デンプン分解糖、エリスリトール、キシリトース、デンプン分解糖還元アルコール等が挙げられる。糖アルコールの中でもマンニトール、エリスリトールおよび二糖以上の糖アルコールが好ましい。
　【００１６】糖類の配合量は、特に限定されるものではないが皮膚外用剤全量中、０．１重量％以上である。０．１重量％未満では本発明の効果である相乗的な肌荒れ改善効果が得られない。
　【００１７】本発明の乾癬または肌荒れ改善皮層外用剤は前記の必須成分に加えて、必要に応じ、本発明の効果を損なわない範囲内で、化粧料、医薬部外品、医薬品等に一般に用いられる各種成分、水性成分、保湿剤、増粘剤、紫外線吸収剤、防腐剤、酸化防止剤、香料、色剤、薬剤、生薬、等が配合される。もちろんこれらは本発明の目的を損なわない質的、量的条件下で使用されなければならない。
　【００１８】また本発明の乾癬または肌荒れ改善皮膚外用剤の剤型は任意であり、例えば化粧水等の可溶化系、乳液、クリーム等の乳化系あるいは軟膏、粉末分散系、水−油二層系、水−油−粉末三層系等どのような剤型でもかまわない。
　【００１９】
　【実施例】次に実施例および比較例をあげて、本発明を具体的に明らかにする。尚、本発明はこれにより限定されるものではない。配合量は重量％である。
　【００２０】下記組成の乾癬または肌荒れ改善クリームを製造し、乾癬または肌荒れ改善効果について検討した。尚、配合したビタミンＡ、糖類は下記表１に記載したものを使用した。
＜＜実施例１〜４＞＞
　　　　　　　　　　　　　　　　　　　　　　　　　　　　　重量％
（１）セトステアリルアルコール　　　　　　　　　　　　　　３．５
（２）スクワラン　　　　　　　　　　　　　　　　　　　　３０．０
（３）ミツロウ　　　　　　　　　　　　　　　　　　　　　　３．０
（４）還元ラノリン　　　　　　　　　　　　　　　　　　　　５．０
（５）エチルパラベン　　　　　　　　　　　　　　　　　　　０．３
（６）ポリオキシエチレン（５０モル）オレイルアルコールエーテル
　　　　　　　　　　　　　　　　　　　　　　　　　　　　　２．０
（７）ステアリン酸モノグリセリド　　　　　　　　　　　　　２．０
（８）糖類　　（表１に記載）　　　　　　　　　　　　　　　０．５
（９）香料　　　　　　　　　　　　　　　　　　　　　　　　０．０３
（１０）ビタミンＡ　　（表１に記載）　　　　　　　　　　　０．０００１
（１１）グリセリン　　　　　　　　　　　　　　　　　　　１５．０
（１２）精製水　　　　　　　　　　　　　　　　　　　　　　残余
製法
（１）、（２）、（３）、（４）、（５）、（６）、（７）、（８）、（９）、（１０）を加熱溶解し、７５℃に保ったものを７５℃に加温した（１１）、（１２）に撹拌しながら加える。ホモミキサーで撹拌乳化しながら冷却してクリームを得た。
　【００２１】＜＜比較例１＞＞実施例の処方から糖類を除いた以外は全て同じ処方
　【００２２】＜＜比較例２＞＞実施例の処方からビタミンＡを除いた以外は全て同じ処方
　【００２３】
　【表１】
　【００２４】＜肌荒れ改善試験方法＞乾癬様、肌荒れ様の皮膚疾患を有する被験者１００名をパネルとして５群に分け、１群（１群２０名）ごとに実施例１〜４及び比較例１〜２のクリームを使用させた。すなわち実施例１〜４を、パネルの左顔面へ１日２同ずつ塗布し、比較例１と比較例２のクリームを右顔面に塗布させ、３ケ月連続使用後、使用前に比べて使用後の全般改善度を肉眼判定した。その結果を表２に示す。
　【００２５】
　【表２】
　【００２６】表２の結果から明らかなように実施例１〜４の本発明品は比較例１、比較例２のものに比べて相乗的に優れた乾癬または肌荒れ改善効果を有していることがわかった。
　【００２７】
　実施例５　　　　肌荒れ改善化粧水　　　　　　　　　　　　重量％
（１）ビタミンＡ　　　　　　　　　　　　　　　　　　　　　０．１
（２）Ｄ−キシロース　　　　　　　　　　　　　　　　　　　０．１
（３）グリセリン　　　　　　　　　　　　　　　　　　　　　１．０
（４）精製水　　　　　　　　　　　　　　　　　　　　　　　残余
（５）エタノール　　　　　　　　　　　　　　　　　　　　　７．０
（６）ポリオキシエチレン（２０モル）オレイルアルコールエーテル
　　　　　　　　　　　　　　　　　　　　　　　　　　　　　０．５
（７）メチルパラベン　　　　　　　　　　　　　　　　　　　０．０５
（８）クエン酸　　　　　　　　　　　　　　　　　　　　　　０．０１
（９）クエン酸ナトリウム　　　　　　　　　　　　　　　　　０．１
（１０）香料　　　　　　　　　　　　　　　　　　　　　　　０．０１
（製法）精製水に（２）、（３）、（８）、（９）を溶解する。別にエタノールに（１）、（６）、（７）、（１０）を溶解し、これを前記の精製水に加えて溶解し濾過し化粧水を得た。本発明の肌荒れ改善化粧水は肌荒れ改善効果に優れていた。
　【００２８】
　実施例６　　　　肌荒れ改善パック　　　　　　　　　　　　重量％
（１）Ｄ−マンノース　　　　　　　　　　　　　　　　　　　１．０
（２）ポリビニルアルコール　　　　　　　　　　　　　　　１０．０
（３）プロピレングリコール　　　　　　　　　　　　　　　　７．０
（４）エタノール　　　　　　　　　　　　　　　　　　　　１０．０
（５）ビタミンＡ　　　　　　　　　　　　　　　　　　　　　０．０１
（６）メチルパラベン　　　　　　　　　　　　　　　　　　　０．０５
（７）ＰＯＥ（６０モル）硬化ひまし油　　　　　　　　　　　０．２
（８）香料　　　　　　　　　　　　　　　　　　　　　　　　０．０５
（９）精製水　　　　　　　　　　　　　　　　　　　　　　　残余
製法
（９）に（１）、（３）、（６）を加え撹拌溶解する。次に（２）、（７）を加え加熱撹拌し、（９）を溶解した、（４）を加え撹拌溶解してパックを得た。本発明の肌荒れ改善パックは相乗的に優れた肌荒れ改善効果を有していた。
　【００２９】
実施例７　　　　　肌荒れ改善固型白粉　　　　　　　　　　　重量％
（１）ビタミンＡ　　　　　　　　　　　　　　　　　　　　　０．０００５
（２）タルク　　　　　　　　　　　　　　　　　　　　　　８５．４
（３）ステアリン酸　　　　　　　　　　　　　　　　　　　　２．５
（４）スクワラン　　　　　　　　　　　　　　　　　　　　　３．５
（５）ソルビタンセスキオレイン酸エステル　　　　　　　　　１．８
（６）トリエタノールアミン　　　　　　　　　　　　　　　　１．２
（７）Ｄ−グルコサミン　　　　　　　　　　　　　　　　　　２．５
（８）顔料　　　　　　　　　　　　　　　　　　　　　　　　適量
（９）香料　　　　　　　　　　　　　　　　　　　　　　　　適量
製法
タルク、顔料をニーダーで十分混合する。（粉末部）トリエタノールアミンを５０％相当量の精製水に加え７０℃に保つ。（水相）香料を除く本発明かの成分を混合市、加熱溶解して７０℃に保つ。（油相）水相に油相を加えホモミキサーで均一に乳化し、これを粉末部に加えニーダーで練りり併せた後、水分を蒸発させ粉砕機で処理する。さらにこれをよく掻き交ぜながら香料を均一に噴霧し圧縮成形する。本発明の肌荒れ改善固型白粉は優れた肌荒れ改善効果を有していた。
　【００３０】
　実施例８　　　　肌荒れ改善口紅　　　　　　　　　　　　　重量％
（１）ビタミンＡ　　　　　　　　　　　　　　　　　　　　　０．００００１
（２）マイクロクリスタリンワックス　　　　　　　　　　　　３．０
（３）ミツロウ　　　　　　　　　　　　　　　　　　　　　　３．０
（４）セレシンワックス　　　　　　　　　　　　　　　　　　５．０
（５）流動パラフィン　　　　　　　　　　　　　　　　　　１９．０
（６）スクワラン　　　　　　　　　　　　　　　　　　　　２０．０
（７）カルナバロウ　　　　　　　　　　　　　　　　　　　　３．０
（８）キャンデリラロウ　　　　　　　　　　　　　　　　　　３．０
（９）Ｄ−マンニトール　　　　　　　　　　　　　　　　　　１．０
（１０）調合色剤　　　　　　　　　　　　　　　　　　　　　７．０
（１１）ジブチルヒドロキシトルエン　　　　　　　　　　　　０．０５
（１２）香料　　　　　　　　　　　　　　　　　　　　　　　適量
（１３）ラノリン　　　　　　　　　　　　　　　　　　　　　残余
製法
常法により肌荒れ改善口紅を得た。本発明の肌荒れ改善口紅は優れた肌荒れ改善効果を有していた。
　【００３１】
実施例９　　肌荒れ改善美容パウダー　　　　　　　　　　　　重量％
（１）Ｄ−マンニトール　　　　　　　　　　　　　　　　　　５０．０
（２）Ｄ−ソルビトール　　　　　　　　　　　　　　　　　　４５．０
（３）ビタミンＡ　　　　　　　　　　　　　　　　　　　　　　０．１
（４）タルク　　　　　　　　　　　　　　　　　　　　　　　　４．９
製法
常法により本発明の肌荒れ改善美容パウダーを得た。本発明の肌荒れ改善美容パウダーは相乗的に優れた肌荒れ改善効果を有していた。
　【００３２】
実施例１０　　肌荒れ改善乳液　　　　　　　　　　　　　　　　重量％
（１）ビタミンＡ　　　　　　　　　　　　　　　　　　　　　　１．０
（２）Ｄ−エリトルロース　　　　　　　　　　　　　　　　　　２．５
（３）エタノール　　　　　　　　　　　　　　　　　　　　　　２．０
（４）グリセリン　　　　　　　　　　　　　　　　　　　　　１０．０
（５）プロピレングリコール　　　　　　　　　　　　　　　　　３．０
（６）カルボキシビニルポリマー　　　　　　　　　　　　　　　０．３
（７）ＫＯＨ　　　　　　　　　　　　　　　　　　　　　　　　０．１
（８）メチルパラベン　　　　　　　　　　　　　　　　　　　　０．１
（９）セタノール　　　　　　　　　　　　　　　　　　　　　　２．５
（１０）ワセリン　　　　　　　　　　　　　　　　　　　　　　２．０
（１１）スクワラン　　　　　　　　　　　　　　　　　　　　１０．０
（１２）イソプロピルミリステート　　　　　　　　　　　　　　５．０
（１３）グリセリルモノステアレート　　　　　　　　　　　　　２．０
（１４）ＰＯＥ（２５モル）セチルエーテル　　　　　　　　　　２．０
（１５）精製水　　　　　　　　　　　　　　　　　　　　　　残余
製法
常法により本発明の肌荒れ改善乳液を得た。本発明の乳液は相乗的に優れた肌荒れ改善効果を有していた。
　【００３３】
　実施例１１　　肌荒れ改善乳液　　　　　　　　　　　　　　重量％
（１）ビタミンＡ　　　　　　　　　　　　　　　　　　　　　０．３
（２）Ｌ−アラビノース　　　　　　　　　　　　　　　　　　２．５
（３）エタノール　　　　　　　　　　　　　　　　　　　　　５．０
（４）グリセリン　　　　　　　　　　　　　　　　　　　　　５．０
（５）プロピレングリコール　　　　　　　　　　　　　　　　５．０
（６）カルボキシビニルポリマー　　　　　　　　　　　　　　０．２
（７）ＫＯＨ　　　　　　　　　　　　　　　　　　　　　　　０．０６
（８）メチルパラベン　　　　　　　　　　　　　　　　　　　０．２
（９）ＰＯＥ（６０モル）硬化ひまし油　　　　　　　　　　　１．０
（１０）スクワラン　　　　　　　　　　　　　　　　　　　　３．０
（１１）イソプロピルミリステート　　　　　　　　　　　　　３．０
（１２）精製水　　　　　　　　　　　　　　　　　　　　　　残余
製法
常法により本発明の肌荒れ改善乳液を得た。本発明の乳液は相乗的に優れた肌荒れ改善効果を有していた。
　【００３４】
実施例１２　　肌荒れ改善ナイトクリーム　　　　　　　　　　重量％
（１）スクワラン　　　　　　　　　　　　　　　　　　　　１８．０
（２）流動パラフィン　　　　　　　　　　　　　　　　　　１２．０
（３）イソプロピルミリステート　　　　　　　　　　　　　　７．０
（４）プロピルパラベン　　　　　　　　　　　　　　　　　　０．２
（５）ジグリセリンジオレエート　　　　　　　　　　　　　　２．０
（６）ＰＯＥ（５モル）硬化ひまし油　　　　　　　　　　　　２．０
（７）ワセリン　　　　　　　　　　　　　　　　　　　　　　６．０
（８）ビタミンＡ　　　　　　　　　　　　　　　　　　　　　０．５
（９）エリスリトール　　　　　　　　　　　　　　　　　　１０．０
（１０）ショ糖　　　　　　　　　　　　　　　　　　　　　　５．０
（１２）精製水　　　　　　　　　　　　　　　　　　　　　　残余
製法
常法により本発明の肌荒れ改善ナイトクリームを得た。本発明のナイトクリームは相乗的に優れた肌荒れ改善効果を有していた。
　【００３５】
　【発明の効果】本発明の乾癬または肌荒れ改善皮膚外用剤は、表皮障害を防止し、皮膚の加齢あるいは日光暴露による変化、あるいは障害を防止、改善する効果等、肌荒れ改善を相乗的に向上させ安全性にも配慮したものである。